(57)【特許請求の範囲】
【請求項１】
パネルに設けた透孔に固着するためのアンカーであって、ネジ孔を有する基板と対向配置となる小孔を有する両側板からなる断面略コの字状のアンカー本体と、前記両側板の小孔に挿着する一対の突起片を両端に対向配置し、中央には固定部材のネジ軸の取付け孔を有した取付け部と該取付け部の端縁から外方に突設した舌片とからなる合成樹脂製薄板状の支持体とからなり、前記パネルの透孔を通過の際には前記アンカー本体を前記支持体の取付け孔に取付けた固定部材のネジ軸とほぼ平行になるように回転させ、通過後には前記支持体の舌片の反発力により反転した前記アンカー本体のネジ孔に前記ネジ軸が螺合可能となることを特徴とするパネル用アンカー。
【請求項２】
前記アンカー本体の基板に内側に向かって突出する規制片を設けたことを特徴とする請求項１に記載のパネル用アンカー。
【請求項３】
前記支持体の取付け孔の孔縁から中心に向かう係止片を設けたことを特徴とする請求項１および２に記載のパネル用アンカー。
【請求項４】
前記アンカー本体の側板の端面に滑り止め片を設けたことを特徴とする請求項１から３に記載のパネル用アンカー。
【発明の詳細な説明】
【技術分野】
【０００１】
この発明は建造物の構築に際して、天井や壁を構成するパネルに電気・設備用資材や照明機器、設備機器等を固定するためのアンカーに関する。
【背景技術】
【０００２】
従来、この種のパネル用アンカーとして、特開２００２−２３８５０３号が開示されているが、その構成はネジ軸を取付ける取付け部材と取付け部材に回転自在に取付けられたアンカー部とネジ軸に対する平行位置からネジ軸に対する直交位置に向けてアンカー部を付勢する付勢部材の３部品から組み立てて構成されている。
更にアンカー部にはアンカー部をネジ軸に対して直交位置で停止させるストッパー機構を備えている。
【特許文献１】特開２００２−２３８５０３号
【発明の開示】
【発明が解決しようとする課題】
【０００３】
上記従来の方法の課題について、３つの構成部品からなるため部品費、製造時の組立加工費が相当分掛かり更なる製造コストの抑制が困難となるなどの問題点があった。
【０００４】
この発明は上記従来の課題に鑑みなされたもので、その目的は、パネルの片側からアンカーを確実、簡単に取付けできて設備機器等を安定して固定することができると共に、構成部品の削減と製造時の組立作業を省力化して需要者に廉価で提供できることにある。
【課題を解決するための手段】
【０００５】
その手段として本発明の請求項1は、パネルに設けた透孔に固着するためのアンカーであって、ネジ孔を有する基板と対向配置となる小孔を有する両側板からなる断面略コの字状のアンカー本体と、前記両側板の小孔に挿着する一対の突起片を両端に対向配置し、中央には固定部材のネジ軸の取付け孔を有した取付け部と該取付け部の端縁から外方に突設した舌片とからなる合成樹脂製薄板状の支持体とからなり、前記パネルの透孔を通過の際には前記アンカー本体を前記支持体の取付け孔に取付けた固定部材のネジ軸とほぼ平行になるように回転させ、通過後には前記支持体の舌片の反発力により反転した前記アンカー本体のネジ孔に前記ネジ軸が螺合可能となることを特徴とする。
【０００６】
本発明の請求項２は、前記アンカー本体の基板に内側に向かって突出する規制片を設けたことを特徴とする。
【０００７】
本発明の請求項３は、前記支持体の取付け孔の孔縁から中心に向かう係止片を設けたことを特徴とする。
【０００８】
本発明の請求項４は、前記アンカー本体の側板の端面に滑り止め片を設けたことを特徴とする。
【発明の効果】
【０００９】
本発明の請求項１によれば、ネジ孔を有する基板と対向配置となる小孔を有する両側板からなる断面略コの字状のアンカー本体と、前記アンカー本体の小孔に挿着する一対の突起片を両端に対向配置し、中央には固定部材のネジ軸の取付け孔を有した取付け部と該取付け部の端縁から外方に突設した舌片とからなる合成樹脂製薄板状の支持体との二つの部品から構成されるので構成部品数と組立作業の１工程を削減できる。
また、支持体は合成樹脂製薄板状のためにアンカー本体への組立作業が樹脂の可撓性能を利用して指で押し込むだけの簡単な作業となるために作業の省力化も可能となり、また、大掛かりな機械等を使用することもない。
すなわち、構成部品の削減と組立作業の省力化、簡易化により製品のコストダウンを可能にし、需要者に廉価で提供することができる。
また、機能面においてもパネルの透孔を通過の際には前記アンカー本体を前記支持体の取付け孔に取付けた固定部材のネジ軸とほぼ平行になるように回転させて、通過後には前記支持体の舌片の反発力により反転した前記アンカー本体のネジ孔に前記ネジ軸が螺合可能となることで、パネルの背面にアンカー本体が確実に掛止にされるので、設備機材等を確実に固定することができる。
【００１０】
本発明の請求項２によれば、アンカー本体の基板に内側に向かって突出する規制片を設けたことにより、パネルの透孔を通過後、舌片の反発力によりアンカー本体が反転した際にこの規制片がネジ軸の外周に当接してアンカー本体とネジ軸が再度、平行状態となることを防ぎ、パネル背面に挿入したアンカー本体の抜け出しを防止することができる。
すなわち、アンカー本体の規制片がネジ軸の外周に当接することでネジ軸とアンカー本体は一定の角度を有して交差した状態に保持され、アンカー本体とネジ軸を平行にした場合の端面方向の外周形の大きさより大きくなるために、アンカー本体の端縁がパネルの透孔近傍の背面に必ず掛止することとなり、一旦パネル背面に挿入したアンカー本体の抜け出しを確実に防止することができ、作業の確実性が向上する。
【００１１】
本発明の請求項３によれば、前記支持体の取付け孔の孔縁から中心に向かって係止片を設けたことにより係止片の可撓性を利用してネジ軸を取付け孔に押し込むことで取付けることができるので作業性が向上する。
【００１２】
本発明の請求項４によれば、前記アンカー本体の側板の端面に滑り止め片を設けたことによりネジ軸の締め付けにより滑り止め片がパネルの背面にくい込んで取付け後の位置ズレを解消することができ、精度良く設備機材を固定することができる。
【発明を実施するための最良の形態】
【００１３】
以下に、本発明の好適な実施形態を添付図面を参照して詳細に説明する。
図１は本発明に係るパネル用アンカーの実施例を示す斜視図であり、図２は中央縦断面図、図３は構成説明図である。
１０は薄鋼板を折り曲げて断面略コの字状に形成したアンカー本体であり、基板１１のほぼ中央にはネジ孔１２を穿設する。
両側板１３、１４にはネジ孔１２の軸心と一直線上となる位置に小孔１５、１６を対向して穿設する。
アンカー本体１０の全長はパネルに設ける透孔の直径より長くして、両側板１３、１４間はネジ軸の外径より幅広に形成する。
１７は基板１１に設けた規制片であり、基板１１の一部を切り裂いて内側に向かって折り曲げて突出した状態に一体的に形成する。
１８・・・は両側板１３、１４にそれぞれ２か所づつ対向して設けた滑り止め片であり、端面から外方に突出して一体的に形成するが、鋸歯状に連続して複数形成してもよい。
２０は合成樹脂製薄板をプレス加工等により打ち抜いて一体的に形成した支持体でありリング状の取付け部２１とその端縁から外方に突設した舌片２６とから構成され、取付け部２１の中央には取付け孔２２をネジ軸の外径よりやや小径に形成してネジ軸をねじ込んで取付け可能とし、両端には対向して一対の突起片２３、２４をアンカー本体１０の小孔１５、１６の直径よりやや幅狭にして設ける。
支持体２０の厚さはネジ軸がねじ込みできる程度の厚みであればよいが、０．５ミリメートルから１．２ミリメートル程度が好適である。
取付け孔２２は、図４に示すように孔縁から中心に向かう係止片２５・・を４箇所均等に割り付けて設け、係止片２５・・の可撓性を利用してネジ軸を取付け孔２２に押込むことで取付けることができるようにすることも可能である。
係止片２５は1個所あるいは複数個所に設けてもよく、要はネジ軸を押込んで取付けることができればよい。
２６は舌片であり、取付け部２１の端縁に一対の突起片２３、２４とほぼ直交する位置に外方に向かって一方に突設する。
【００１４】
アンカー本体１０の両側板１３、１４に穿設した小孔１５、１６に支持体２０の突起片２３、２４をそれぞれ挿着することによりアンカー本体１０は支持体２０の一対の突起片２３、２４を中心軸として回転可能となる。
その際、支持体２０の舌片はアンカー本体１０の基板１１に設けた規制片とは反対側に向かうように配置しておく。
また、アンカー本体１０のネジ孔１２と支持体２０の取付け孔２２は同軸芯上に配置されることとなる。
したがって、図５に示すようにネジ軸Ａを取付け孔２２にねじ込んで取付けた状態でアンカー本体１０をネジ軸Ａ側に向かって回転させ、一旦、アンカー本体１０の基板１１が舌片２５に当接するもののさらに舌片２５を押し曲げた状態まで回転させたところから解放すると舌片２５の反発力により基板１１を押し返し、アンカー本体１０は反転することができる。
【００１５】
次に本発明の使用方法を実施例により詳細に説明する。
図６は本発明の実施例の使用状態を示す説明図１である。
ネジ軸Ａの先端を支持体２０の取付け孔２２にねじ込んで取付けた状態でアンカー本体１０をネジ軸Ａ側に向かって回転させ、アンカー本体１０の両側板１３、１４がネジ軸Ａを外嵌しほぼ平行となる状態でパネルＢに設けた透孔Ｃを通過させ、通過後、アンカー本体１０は支持体２０の舌片２６の反発力により基板１１が押し返えされて反転する。
ネジ軸Ａを手前に引いてアンカー本体１０の両側板１３、１４の端面をパネルＢの背面に当接した状態でネジ軸Ａを回転させ、ネジ孔１２にねじ込んで固定する。
パネルＢから突出した状態となるネジ軸Ａに設備機器Ｄに設けた透孔を嵌めて、更にナットＥを締め込むことで設備機器Ｄを確実に固定することができる。
【図面の簡単な説明】
【００１６】
【図１】本発明の実施例を示す斜視図
【図２】本発明の実施例を示す中央縦断面図
【図３】本発明の実施例を示す構成説明図
【図４】本発明の支持体の別の実施例を示す平面図
【図５】本発明の実施例の機能説明図
【図６】本発明の実施例の使用状態を示す説明図１
【図７】本発明の実施例の使用状態を示す説明図２
【符号の説明】
【００１７】
１０  アンカー本体
１２  ネジ孔
１７  規制片
１８  滑り止め片
２０  支持体
２２  取付け孔
２５  係止片
２６  舌片
Ａ    ネジ軸
Ｂ    パネル
Ｃ    透孔
【図１】
0004665256.tif 000002
【図２】
0004665256.tif 000003
【図３】
0004665256.tif 000004
【図４】
0004665256.tif 000005
【図５】
0004665256.tif 000006
【図６】
0004665256.tif 000007
【図７】
0004665256.tif 000008